(57)【要約】【課題】  徘徊癖のある人物が外出した場合、その居場所を特定することが困難であった。【解決手段】  本発明は、人間に装着して当該移動体の位置情報を検出するための装置であって、その被位置検出者が特定のどの広域範囲内に位置するかを検出するための第１検出機と  前記広域範囲内のさらに特定のどの狭域範囲内に位置すること検出するための第２検出機と、が具備され、被位置検出者は、前記第１検出機によって特定のどの広域範囲に位置するかが検出されると共に、前記第２検出機によって特定のどの狭域範囲に位置することが検出されることを特徴とするものである。【選択図】図１
2018037050.tif 000002
【特許請求の範囲】
【請求項１】
移動体に装着して当該移動体の位置情報を検出するための装置であって、
前記移動体が特定のどの広域範囲内に位置するかを検出するための第１検出機と、
前記広域範囲内のさらに特定のどの狭域範囲内に位置すること検出するための第２検出機とが具備され、
前記移動体は、前記第１検出機によって特定のどの広域範囲に位置するかが検出されると共に、前記第２検出機によって特定のどの狭域範囲に位置することが検出されることを特徴とする移動体位置情報の検出装置
【請求項２】
第１検出機はＧＰＳ発信機で、第２検出機は低出力の発信機である請求項１記載の移動体位置情報の検出装置
【請求項３】
前記移動体は、前記第１検出機によって特定のどの広域範囲に位置するかが検出された後、前記第２検出機は前記広域範囲内に位置する受信機に信号を送信する事により、狭域内のどこに位置するかが検出される請求項２記載の移動体位置情報の検出装置
【請求項４】
第２検出機はビーコンであり、発信機はスマートホンであって、前記ビーコンから広域範囲内に位置するスマートホンに信号が送信され、当該スマートホンによって前記信号が発信されることによって、移動体が狭域範囲のどこに位置しているかを検出する請求項３記載の移動体位置情報の検出装置。
【請求項５】
第１検出機および第２検出機は、人の靴に装着される請求項１ないし請求項４のいずれかに記載の移動体位置情報の検出装置。
【請求項６】
第１検出機は１足の靴のうち一方の靴に装着され、第２検出機は他方の靴に装着される請求項５記載の移動体位置情報の検出装置。
【請求項７】
第１検出機および第２検出機は、いずれも一方の靴に装着される請求項５記載の移動体位置情報の検出装置。
【発明の詳細な説明】
【技術分野】
【０００１】  本発明は、人間等の移動体に装着して、当該移動体の位置情報を検出するための装置であって、前記移動体が先ずどこの広域範囲内に位置するかを検出し、次いで前記広域範囲内の更にどこの狭域範囲内に位置するかを検出することによって、前記移動体の位置を確実に検出するための装置に関する。
【背景技術】
【０００２】  近年、徘徊老人や認知症患者等（以下、「被位置検出者」という。）が施設等から外出して行方不明になり、結果として悲惨な事故に合うケースが増加してきている。【０００３】  そこで、被位置検出者を施設内等に閉じ込めようとする動きがあるが、それでは却って認知症等の症状を進行させたり、人権侵害の問題を引き起こす恐れがある。【０００４】  被位置検出者が外出しても、その位置情報を確実に把握できれば、上記のような問題がなくなるため、本発明者は、下記の非特許文献（ＵＲＬで示している）に記載のように、被位置検出者が外出時にはく靴にグローバル・ポジショニング・システム（以下、「ＧＰＳ」という。）発信機を装着し、スマートホンなどを使用して被位置検出者の位置情報を検出することが試みられている。【０００５】  また徘徊老人等の徘徊防止システムとして、下記の特許文献１に記載の発明が開示されている。
【先行技術文献】
【特許文献】
【０００６】
【特許文献１】  特許第５８７６９２０号公報
【０００７】
【非特許文献１】  ｈｔｔｐ：／／ｗｗｗ．ｕｒａｒａｃａ．ｎｅｔ／
【発明の開示】
【発明が解決しようとする課題】
【０００８】  上記の非特許文献１には、前述のように、被位置検出者が外出時にはく靴にＧＰＳ発信機を装着し、スマートホン等を使用して徘徊老人等の位置情報を検出することが開示されている。【０００９】  しかしながら、ＧＰＳ発信機を利用して被位置検出者の位置情報を特定する場合、そのＧＰＳ発信機を軽量で小型を優先するため測定精度は半径３０メートル内外と広域になる。【００１０】  従って、被位置検出者の所在がある程度にまでは絞れるが、狭域範囲での把握はできない。【００１１】  また、ＧＰＳの電波が届きにくい建造物内や地下、高層階の建物の階層では正確な位置検出が不可能である。
それ故、被位置検出者の発見に手間取るなどの課題が残る。【００１２】  また上記特許文献１には、被位置検出者が施設の出入口から出た際のその人物を、顔認証照合装置などを利用して特定せんとする発明が開示されている。【００１３】  この発明ではどの被位置検出者が出て行ったかは特定できるが、一旦外出した被位置検出者を追跡してその所在位置を検出することはできない。【００１４】  本発明は、一旦施設等より外に出た被位置検出者でも、その位置情報を精密にかつ迅速に検出し、当該被位置検出者の所在を正確に把握することによって、迅速に保護せんとするものである。
【課題を解決するための手段】
【００１５】（１）本発明は、移動体に装着して当該移動体の位置情報を検出するための装置であって、前記移動体が特定のどの広域範囲内に位置するかを検出するための第１検出機と、前記広域範囲内のさらに特定のどの狭域範囲内に位置すること検出するための第２検出機と、が具備され、前記移動体は、前記第１検出機によって特定のどの広域範囲に位置するかが検出されると共に、前記第２検出機によって特定のどの狭域範囲に位置することが検出されることを特徴とする移動体位置情報の検出装置である。【００１６】  本発明によれば、移動体としての被位置検出者に装着された第１検出機、例えばＧＰＳ発信機によって得られる位置情報を、インターネットを経由し、スマートホン等のインターネット接続機器（以下、「スマートホン」という。）により、当該被位置検出者を地図上に概算表示される。ただ、被位置検出者の位置から直径３０メートル内外の広域範囲となる可能性がある。【００１７】  次いで、これも被位置検出者に装着された第２検出機、例えばアクティブ型の無線タグ（以下、「ビーコン」という。）から発信された電波を、当該ビーコンから数メートル以内に位置するスマートホンで発信すると、当該スマートホンを所持する前記位置検出者が極めて容易に当該被位置検出者を発見することができる。【００１８】  即ち、先ずＧＰＳ発信機によって、被位置検出者がどこの広域範囲に位置しているかを検出し、次いでビーコンから発信される信号が発信されることによって、狭域範囲の位置情報が精度よく検出されることになる。【００１９】  特定の狭域範囲にいる位置検出者は、ビーコンの信号からデータベースより、被位置検出者の氏名、年齢、顔写真、見守り者の連絡先などの見守りに必要な情報のみをアプリケーション経由で受け取り、個人情報を保護しつつ、被位置検出者を特定できる。【００２０】（２）第１検出機はＧＰＳ発信機で、第２検出機は低出力の発信機であってもよい。【００２１】（３）前記移動体は、前記第１検出機によって特定のどの広域範囲に位置するかが検出された後、前記第２検出機は前記広域範囲内に位置する発信機に信号を送信することにより、狭域内のどこに位置するかが検出されるように構成されることが好ましい。【００２２】（４）第２検出機はビーコンであり、受信機はスマートホンであって、前記ビーコンから広域範囲内に位置するスマートホンに信号が送信され、当該スマートホンによって前記信号が発信されることによって、移動体が狭域範囲のどこに位置しているかを検出するように構成されることが好ましい。【００２３】（５）第１検出機および第２検出機は、人の靴に装着されることが好ましい。【００２４】（６）第１検出機は１足の靴のうち一方の靴に装着され、第２検出機は他方の靴に装着されていてもよい。【００２５】（７）第１検出機および第２検出機は、いずれも一方の靴に装着されていてもよい。
【発明の効果】  本発明では、被位置検出者などの移動体に、第１検出機および第２検出機を装着しておき、先ず移動体を第１検出機によってどの広域範囲内に位置しているかを検出したのち、その広域範囲内のどの狭域範囲内に位置しているかを検出するので、前記移動体の存在位置を確実に検出し把握することができる。
【図面の簡単な説明】
【００２６】
【図１】  本発明の一実施の形態の斜視図である。
【図２】  本発明の一実施の形態の概念図である。
【発明を実施するための形態】
【００２７】  図１は、被位置検出者が履く１足の靴の斜視図である。１Ａ、１Ｂは夫々左右の靴本体であり、左側の靴本体１Ａの踵部２に第１検出機としてのＧＰＳ発信機３が埋設されている。また左側の靴本体１Ｂの甲を覆うベロ４の下部に第２検出機としてのビーコン５が装着されている。
【００２８】  なお、ＧＰＳ発信機３およびビーコン５は、いずれも一方の靴１Ａもしくは１Ｂに装着されていてもよい。
【００２９】  図２は概念図である。前記ＧＰＳ発信機３によって、人口衛星からの信号を受信して当該ＧＰＳ発信機３の位置情報が取得され、どの広域範囲の位置に情報が検出される。
【００３０】  前記ＧＰＳ発信機３の広域範囲の位置情報はインターネットを介して、前記広域範囲に位置情報を表記する。
【００３１】  位置検出者は、前記スマートホン等インターネット接続機器を用いて、被位置検出者が、前記位置検出者の位置する所定の広域範囲に位置していることがわかる。
【００３２】  この広域範囲は前記位置検出者（ＧＰＳ発信機３）の位置から概ね半径が３０メートル前後の範囲である。
【００３３】  また、前記ビーコン５の識別子を用い、データーベースに被位置検出者の氏名、年齢、顔写真、見守り者の連絡先などの見守りに必要な情報を登録することにより、被位置検出者の捜索時に、前記位置検出者はビーコン５からの電波で、詳細位置情報を知りうる。
【００３４】  また、識別子を用いることにより、データーベースより、当該識別子情報がインターネットを介して、捜索時に最低必要情報を前記狭域範囲に位置する位置検出者が所持しているスマートホンにアプリケーションを経由して受け取れられる。
【００３５】  そうすると、位置検出者は、前記スマートホンにインストールされているアプリケーションによってビーコン５、即ち被位置検出者が、前記位置検出者の位置する所定の境域範囲に位置していることがわかる。
【００３６】  この狭域範囲は前記位置検出者（ビーコン５）の位置から概ね半径が数メートル前後の範囲である。
【００３７】  そうすると前記位置検出者は、ビーコン５からスマートホンに送信された被位置検出者の識別子情報を見て、当該位置検出者がその数メートルの狭域範囲を見渡せば、容易に被位置検出者を発見でき、保護できる。
【００３８】  なお、被位置検出者を発見できたという情報はやはりインターネットを介して情報提供サーバーを経由して管理者や親族等に送信される。
【符号の説明】
【００３９】  １Ａ  靴本体
１Ｂ  靴本体
２    踵部
３    ＧＰＳ発信機
４    ベロ
【図１】
2018037050.tif 000003
【図２】
2018037050.tif 000004